(57)【要約】      （修正有）【課題】荷電粒子ビームの照射深度を調整しつつも、一定なビーム径で照射野を形成することができる照射野形成装置を提供する。【解決手段】加速器で生成した荷電粒子ビームを被検体６に照射する際に、照射野を形成する照射野形成装置１であって、荷電粒子ビームのビーム軸Ｚ上に配設され、荷電粒子ビームの照射深度を調整するレンジシフタ１１と、レンジシフタ１１の下流に配設され、レンジシフタ１１により拡大された荷電粒子ビームのビーム径を一定に調整する２つ以上の収束用電磁石１２と、を備えたことを特徴とする照射野形成装置１である。【選択図】図２
2006346120.tif 000002
【特許請求の範囲】
【請求項１】
加速器で生成した荷電粒子ビームを被検体に照射する際に、照射野を形成する照射野形成装置であって、
前記荷電粒子ビームのビーム軸上に配設され、前記荷電粒子ビームの照射深度を調整するレンジシフタと、
前記レンジシフタの下流に配設され、前記レンジシフタにより拡大された前記荷電粒子ビームのビーム径を一定に調整する２つ以上の収束用電磁石と、
を備えたことを特徴とする照射野形成装置。
【請求項２】
前記２つ以上の収束用電磁石は、４極電磁石を含んで構成されることを特徴とする請求項１に記載の照射野形成装置。
【請求項３】
前記２つ以上の収束用電磁石は、多極電磁石を含んで構成されることを特徴とする請求項１に記載の照射野形成装置。
【請求項４】
請求項１に記載の照射野形成装置を含むことを特徴とする回転ガントリ。
【発明の詳細な説明】
【技術分野】
【０００１】
本発明は、加速器で生成した荷電粒子ビームの照射野を形成する照射野形成装置に関し、特に、照射深度によらず、一定なビーム径で照射野を形成する照射野形成装置に関する。
【背景技術】
【０００２】
近年、新たながんの治療法として、被検体の患部に荷電粒子ビームを照射する荷電粒子線治療が期待されている。治療に用いる荷電粒子には、例えば、陽子や、炭素イオンに代表される重イオンが含まれる。
通常のＸ線やγ線等の放射線は、体の表面直下で線量が高く、体の深いところになるにつれて線量が低くなる。それに比べて、荷電粒子ビームは、体の浅いところでは線量が低く、一定の深さで急に線量が高くなるピーク（一般に「ブラッグピーク」という）があり、それより深部には進まないという性質がある。このブラッグピークの位置、高さを調節し、腫瘍の形に合わせた照射を行うことにより、がん病巣を狙い撃ちすることができる。
【０００３】
荷電粒子ビームを生成するには、イオン源により粒子をイオン化し、シンクロトロン等の加速器で粒子にエネルギを与えることによって、加速させる。例えば、炭素イオンビームを生成する場合には、炭素イオンは加速器において光速の８４％にまで加速される。そして、加速された荷電粒子ビームは、ビーム輸送路を通って輸送され、照射手段によって被検体に照射される。
【０００４】
通常、被検体の患部の大きさは、加速器で生成された荷電粒子ビームのビーム径に比べて大きい。そこで、患部全体に一様に荷電粒子ビームを照射する方法として、荷電粒子ビームのビーム径を拡大して照射する方法（ワブラ法）と、ビーム径を拡大せずに照射スポットを３次元的に走査して分散照射する方法（スポットスキャン法）が行われている。
前記いずれの方法においても、被検体の患部の位置や形状に応じて、ビームの照射深度を調整している。照射深度の調整は、荷電粒子ビームのエネルギを制御することによって行うことができる。
【０００５】
荷電粒子ビームのエネルギを制御するには、２通りの方法がある。
１つの方法は、加速器の出力を制御することにより、荷電粒子に供給されるエネルギを制御する方法である。しかしながら、加速器は制御箇所が非常に多く、また、それぞれの制御部位においても厳密な制御を要求されるために、容易な作業ではない。
【０００６】
もう１つのエネルギの制御方法は、ビーム軸上にレンジシフタと呼ばれる、荷電粒子ビームのエネルギを吸収する物質を設置して、荷電粒子ビームのエネルギを減衰させる方法である（例えば、特許文献１参照）。このレンジシフタを用いる方法は、加速器の出力を制御する方法に比べて、容易に荷電粒子ビームのエネルギを制御することができる。
【特許文献１】特開２００１−５６２号公報
【発明の開示】
【発明が解決しようとする課題】
【０００７】
しかしながら、レンジシフタを用いて荷電粒子ビームのエネルギの制御を行うと、その副次的な効果として、レンジシフタ通過後の荷電粒子ビームのビーム径が進行方向に沿って拡大する。すなわち、被検体内においては、照射深度毎にビーム径が異なることになり、治療計画が困難になるという問題があった。特に、スポットスキャン法の場合には、被検体の患部を均一な照射スポットで３次元的に塗りつぶすことが困難になる。
【０００８】
そこで、本発明は、荷電粒子ビームの照射深度を調整しつつも、一定なビーム径で照射野を形成することができる照射野形成装置を提供することを課題とする。
【課題を解決するための手段】
【０００９】
前記課題を解決するために、本発明は、レンジシフタの下流に２つ以上の収束用の電磁石を配設することで、レンジシフタによるビーム径の広がりを一定に制御する構成としている。
【発明の効果】
【００１０】
本発明によれば、荷電粒子ビームの照射深度をレンジシフタで調整しつつも、その下流に設置した２つ以上の収束用の電磁石によって、ビーム径を一定に維持することができる。
【発明を実施するための最良の形態】
【００１１】
以下、本発明を実施するための最良の形態（以下「実施形態」という）について、適宜図面を参照しながら詳細に説明する。
【００１２】
<<第一の実施形態>>
まず、第一の実施形態を説明する。この第一の実施形態は、スポットスキャン法により荷電粒子ビームを被検体に照射する場合の実施形態である。
【００１３】
図１は、本実施形態の全体構成を説明するための概略図である。図１に示すように、照射野形成装置１は、加速器２に連通可能なビーム輸送路３の下流に位置している。図１において、イオン源４でイオン化された荷電粒子は、加速器２に導入される。加速器２は、荷電粒子を周回させながらエネルギを与えて加速させ、荷電粒子ビーム（以下「ビーム」という）を生成する。生成されたビームは、出射デフレクタ５を介して加速器２から出射され、ビーム輸送路３を通って照射野形成装置１に到達する。そして、照射野形成装置１は、ビームのエネルギを調整しつつも、一定なビーム径で照射野を形成し、被検体６に照射する。
【００１４】
なお、ビーム輸送路３の下流に位置する回転ガントリ７は、継ぎ手８を介して回転自在に取り付けられ、図示しないモータ等の動力源により駆動される。そして、本実施形態の照射野形成装置１は、前記したようにビーム輸送路３の下流に設けられるものであるが、その設置範囲は、回転ガントリ７内であることが好ましい。このように回転ガントリ７に照射野形成装置１を設置したことで、被検体６に対して様々な方向からスポットスキャン法による照射を行うことができるため、複雑な形状のがんに対応してビームを照射したり、正常部の被爆を最小限に留めたりすることができる。
【００１５】
図２は、第一の実施形態の照射野形成装置１の概略構成図である。図２に示すように、照射野形成装置１は、ビーム軸Ｚ上に、ビームの進行方向に沿って順に、レンジシフタ１１と、３つの収束用の４極電磁石１２と、２つの偏向電磁石１３とが配設されている。
【００１６】
また、これらの構成要素は、図示しない公知の制御装置で制御される構成としている。例えば、制御装置は、レンジシフタ１１の板の厚さを変えたり、レンジシフタ１１の板の厚さに応じて４極電磁石１２に印加する直流電流の強度を制御したりすることができる。
【００１７】
なお、図２に併記した座標軸において、Ｚ軸は、前記したビーム軸Ｚを意味し、偏向電磁石１３でビーム軌道を偏向しない状態のビーム軌道に一致する。そして、Ｘ軸は、Ｚ軸に直交する任意の軸であり、Ｙ軸は、Ｚ軸かつＸ軸に直交する軸である。
【００１８】
レンジシフタ１１は、ビームのエネルギを吸収することによって、ビームのエネルギを減衰させるものである。レンジシフタ１１は、通常、厚さの異なる複数枚の板からなり、所望するビームの照射深度に応じて板の厚さを選択することができる。レンジシフタ１１の材質は、例えば、金属、プラスチック、セラミック等のビームのエネルギを減衰させるものであればどのようなものであってもよいが、通常、アクリル板が使用される。また、レンジシフタ１１に、エアシリンダ等の図示しない駆動手段を設け、制御装置から信号を送ることによって、自動で板の交換を行うことができる。
【００１９】
このようにレンジシフタ１１の厚さを変え、ビームのエネルギの減衰量を制御することによって、ビームの照射深度を調整することができる。すなわち、図２に示す座標軸においては、レンジシフタ１１によって、Ｚ軸方向のビームの照射深度を決定することができる。
【００２０】
そして、レンジシフタ１１を通過したビームは、その下流に配設された４極電磁石１２に到達する。このときのビームは、レンジシフタ１１の厚さが厚いほどエネルギが減衰されている一方で、ビーム径は大きくなっている。
【００２１】
４極電磁石１２は、ビームをＸ軸方向に収束させる２つの４極電磁石１２ａ、１２ｃと、ビームをＹ軸方向に収束させる１つの４極電磁石１２ｂからなる。
【００２２】
偏向電磁石１３は、それぞれ直交する２方向の磁場を形成する２つの２極電磁石１３ａ、１３ｂからなり、ビームの軌道をＸ軸方向とＹ軸方向に偏向させるものである。すなわち、図２に示す座標軸においては、偏向電磁石１３によって、Ｘ軸方向とＹ軸方向のビームの照射位置を決定することができる。
【００２３】
ここで、図３を参照して、ビームをＸ軸方向に収束させる４極電磁石１２ａ（または１２ｃ）の構造を詳細に説明する。図３は、４極電磁石１２ａをビーム軸Ｚと直交する面（Ｘ−Ｙ平面）で切断した場合の断面図である。図３に示すように、４極電磁石１２ａは、略リング状の継鉄１２１と、この継鉄１２１から内側に等角度で一体に突設された４個の磁心１２２と、この磁心１２２に個別に巻装した励磁コイル１２３とを備えて構成され、継鉄１２１内部のギャップ１２４には、実線の矢印で示した磁場が生じている。
【００２４】
このような４極電磁石１２ａによって、例えば、Ｘ軸上のｑ１に位置する荷電粒子に対しては、内周方向へのローレンツ力が働く。一方で、例えば、Ｙ軸上のｑ２に位置する荷電粒子に対しては、外周方向へのローレンツ力が働く。すなわち、４極電磁石１２ａ、１２ｃは、ビームをＸ軸方向に収束させる一方で、Ｙ軸方向に発散させる。
【００２５】
また、ビームをＹ軸方向に収束させる４極電磁石１２ｂは、４極電磁石１２ａの励磁コイル１２３に印加される直流電流の向きを逆にすることによって構成することができる。具体的には、励磁コイル１２３に印加される直流電流の向きが逆になれば、ギャップ１２４に生じる磁場の向きも逆になり、ビームの収束・発散方向（荷電粒子に働くローレンツ力の方向）も、それぞれ逆になる。すなわち、４極電磁石１２ｂは、ビームをＹ軸方向に収束させる一方で、Ｘ軸方向に発散させる。
【００２６】
また、４極電磁石１２によってビームを収束・発散させる強さは、４極電磁石１２に印加される直流電流の強度により制御することができる。
【００２７】
＜スポットスキャン法＞
次に、図１および図２を参照しつつ、図４を用いて本実施形態のスポットスキャン法を説明する。図４は、スポットスキャン法において、被検体の患部に照射スポットを走査する一例を説明するための概略図である。
【００２８】
まず、図１に示すように、加速器２から出射されたビームは、ビーム輸送路３を通って、ビーム輸送路３の末端に位置する照射野形成装置１に到達する。このとき、図２に示す照射野形成装置１のレンジシフタ１１は、所望する照射深度に対応して、板の厚さが変えられている。
【００２９】
次に、照射野形成装置１に到達したビームは、図２に示す照射野形成装置１のレンジシフタ１１によって、エネルギが減衰されて照射深度が調整されるとともに、ビーム径が拡大する。
【００３０】
そして、レンジシフタ１１によってビーム径が拡大したビームは、４極電磁石１２によって、所望する照射深度において一定なビーム径に調整される。
【００３１】
次に、４極電磁石１２によって一定なビーム径に調整されたビームは、ビーム軌道をＸ
軸方向とＹ軸方向に偏向させる偏向電磁石１３によって、照射位置が決定される。
【００３２】
以上の手順により、図４に示すように、まず、患部６ａ内の１つの照射スポットＡ１にビームを照射することができる。
【００３３】
そして、偏向電磁石１３を制御することによって、Ａ２、Ａ３、・・・と、次々と照射スポットを移動させて、患部６ａ内の平面Ａ全体に、ビームを照射する。
【００３４】
患部６ａ内の平面Ａへの照射が完了すると、レンジシフタ１１の厚さを調整することによって照射深度が変更される。例えば、図４においては、患部６ａ内の平面Ｂへのビームの分散照射が開始される。このとき、レンジシフタ１１の厚さに応じて、４極電磁石１２に印加される直流電流が調整され、平面Ａを照射したときと同一のビーム径で照射される。
【００３５】
そして、前記した手順と同様に、平面Ｃ、平面Ｄ、・・・と、患部６ａ内の全ての平面に対して分散照射することにより、患部６ａ全体に対して照射することができる。
【００３６】
ここで、図５を参照して、本実施形態の３つの４極電磁石によりビーム径を一定に調整する手順を説明する。
図５は、本実施形態の３つの４極電磁石１２により一定に調整したビームの軌道を説明するための図であって、（ａ）はＸ軸方向のビームの軌道を示し、（ｂ）はＹ軸方向のビームの軌道を示す。また、図５（ａ）、（ｂ）のそれぞれにおいては、左端にレンジシフタ１１が配設されており、３通りのレンジシフタ１１の厚さに対応してビーム径が拡大された３本のビーム軌道Ｌ、Ｍ、Ｎが示されている。
【００３７】
なお、図５においては、この３つの４極電磁石１２は、ビーム軸Ｚに直交し、４極電磁石１２ｂの中心を通る面を境にして、鏡面対称に配設されている。このように２つ以上の４極電磁石１２を鏡面対称に配設することで、軌道計算がしやすい場合がある。
【００３８】
また、図示しない制御装置には、レンジシフタ１１の厚みに応じて、各４極電磁石１２に印加する直流電流値があらかじめ入力されている。そして、この直流電流値は、事前に軌道計算を行って、求めておくことができる。
【００３９】
まず、ビームは、レンジシフタ１１を通過することによってＸ軸方向とＹ軸方向にビーム径が拡大し、４極電磁石１２ａに到達する。
【００４０】
４極電磁石１２ａは、レンジシフタ１１で拡大したビーム径のＸ軸方向の成分を大きく収束させる直流電流を印加する。一方で、Ｙ軸方向の成分は拡大することとなる。
【００４１】
そして、４極電磁石１２ｂは、４極電磁石１２ａで拡大したＹ軸方向の成分を補償するために、Ｙ軸方向の成分を収束させるような直流電流を印加する。一方、Ｘ軸方向の成分は拡大する。
【００４２】
そして、４極電磁石１２ｃは、Ｘ軸方向の成分とＹ軸方向の成分が所定の値になるように直流電流を印加する。
【００４３】
以上のように、４極電磁石１２ａ〜１２ｃの収束と発散のバランスを制御することにより、ビーム径を一定の値に調整することができる。
また、図５のビーム軌道Ｌ、Ｍ、Ｎで示すように、レンジシフタの厚みが変わっても、一定なビーム径に調整することができる。
【００４４】
以上示したように、本実施形態のスポットスキャン法によれば、照射深度によりビーム径が変わる従来の問題を解決し、一定なビーム径に調整された荷電粒子ビームを被検体６の患部６ａの形状に合わせて３次元的に分散照射することができる。
【００４５】
<<第二の実施形態>>
次に、第二の実施形態を説明する。この第二の実施形態は、ワブラ法により荷電粒子ビームを被検体６に照射する場合の実施形態である。なお、第二の実施形態の説明において、前記した第一の実施形態と重複する説明は省略する。
【００４６】
図６は、第二の実施形態の照射野形成装置１の概略構成図である。図６に示すように、照射野形成装置１は、荷電粒子ビームのビーム軸Ｚ上に、ビームの進行方向に沿って順に、レンジシフタ１１と、３つの収束用の４極電磁石１２と、２つの偏向電磁石１３と、散乱体１４と、リッジフィルタ１５と、コリメータ１６と、ボーラス１７が配設している。
【００４７】
散乱体１４は、例えば、アルミニウム、タンタル、鉛等からなり、ビームを散乱させることによって、被検体６に照射されるビーム径を拡大させるものである。
【００４８】
リッジフィルタ１５は、ビームの進行方向のエネルギ分布を拡大するものである。リッジフィルタ１５は、例えば、階段状に厚さが変化する金属板を並べた構成とすることができる。リッジフィルタ１５をビームが通過することによって、ブラッグピークが拡大され、１回の照射あたりの治療範囲がビーム軸Ｚの方向に広がる。
【００４９】
コリメータ１６は、ビーム軸Ｚに対して直交する平面（Ｘ−Ｙ平面）において、被検体６に照射されるビームの照射範囲を患部６ａの形状に合わせて制限するものである。
【００５０】
ボーラス１７は、ビーム軸Ｚ方向において、被検体６に照射されるビームの照射範囲を患部６ａの形状に合わせて制限するものである。
【００５１】
＜ワブラ法＞
次に、図６を参照して、本実施形態のワブラ法を説明する。
図６において、ビームが偏向電磁石１３に到達するまでは、前記したスポットスキャン法と同様であるので説明を省略する。
【００５２】
ビームは、ビーム軌道をＸ軸方向とＹ軸方向に偏向させる偏向電磁石１３によって、円
を描くように制御される。このような制御により、被検体６にビームが照射される際に、大きくかつ一様な照射野が形成される。
【００５３】
ビームは、散乱体１４に到達すると、散乱によりビーム径が拡大する。
ここで、レンジシフタ１１により拡大されるビーム径との違いを明記しておく。レンジシフタ１１により拡大されるビーム径は、レンジシフタ１１の厚さに対応して変化するために、４極電磁石１２によってビーム径を一定に調整する必要がある。
一方で、散乱体１４により拡大されるビーム径は、散乱体１４に入射するビームのビーム径が前記した４極電磁石１２により一定となっているために、散乱体１４で拡大された後もビーム径は一定である。つまり、ビームが散乱体１４を通過した後には、特にビーム径を調整する必要がない。
【００５４】
そして、ビームは、リッジフィルタ１５によって、ブラッグピークが拡大されてコリメータ１６に到達する。
【００５５】
そして、ビームは、コリメータ１６とボーラス１７によって、照射範囲を患部６ａの形状に合わせて制限され、被検体６に照射される。
【００５６】
以上の説明から理解されるように、ワブラ法では、照射深度をレンジシフタ１１とボーラス１７で調整する。従って、照射深度が深いときには薄いレンジシフタ１１を使い、浅いときには厚いレンジシフタ１１を使うことになる。このように、照射深度に応じてレンジシフタ１１の厚みを変えるため、従来のワブラ法では最終的に形成される照射野の大きさも変わることになる。
【００５７】
しかし、本実施形態のワブラ法によれば、照射深度によりビーム径が変わる従来の問題を解決し、被検体６の患部６ａの位置する深さに関わらず、一定なビーム径に調整されたビームを被検体６の患部６ａの形状に合わせて照射することができる。
【００５８】
<<その他>>
なお、本発明は、前記した実施形態に限定されない。
本実施形態においては、照射野形成装置１を構成要素の配置順を規定して説明したが、照射野形成装置１は、レンジシフタ１１の下流に４極電磁石１２を配設していれば、その他の構成要素の配置順をどのように入れ替えてもよい。
【００５９】
また、本実施形態においては、ビーム径を収束させる電磁石として３つの４極電磁石１２を用いたが、Ｘ軸方向のビーム径を収束させる電磁石と、Ｙ軸方向のビーム径を収束させる電磁石とを、それぞれ１つ以上含む構成であれば、適切に一定なビーム径に調整することができる。また、これらの４極電磁石１２同士の配置順も特に限定しない。
【００６０】
さらに、本実施形態においては、ビーム径を収束させる電磁石として４極電磁石１２を用いたが、６極以上の多極電磁石であってもよい。例えば、６極電磁石は、略リング状の継鉄と、この継鉄から内側に等角度で一体に突設された６個の磁心と、この磁心に個別に巻装した励磁コイルとを備えて構成される。６極以上の多極電磁石を用いることによって、４極電磁石によるビーム径の収束効果に加えて、ビームの内周方向と外周方向のエネルギの収差を補正できるという効果を奏する。
【００６１】
また、２つ以上の収束用の電磁石は、４極のみ、６極のみのように同一の電磁石で構成する必要はなく、４極以上の電磁石を２つ以上含んでいれば、ビーム径を一定に調整することができる。
【００６２】
また、本実施形態では回転ガントリ７に適用する場合を例に説明したが、回転ガントリ７を用いない照射装置に対し、照射野形成装置１を適用してもよい。
【図面の簡単な説明】
【００６３】
【図１】本実施形態の全体構成を説明するための概略図である。
【図２】第一の実施形態の照射野形成装置の概略構成図である。
【図３】４極電磁石１２ａをビーム軸Ｚと直交する面（Ｘ−Ｙ平面）で切断した場合の断面図である。
【図４】スポットスキャン法において、被検体の患部に照射スポットを走査する一例を説明するための概略図である。
【図５】本実施形態の３つの４極電磁石１２により一定に調整したビームの軌道を説明するための図である。
【図６】第二の実施形態の照射野形成装置の概略構成図である。
【符号の説明】
【００６４】
１      照射野形成装置
２      加速器
３      ビーム輸送路
４      イオン源
５      出射デフレクタ
６      被検体
７      回転ガントリ
８      継ぎ手
１１    レンジシフタ
１２    ４極電磁石（収束用電磁石）
１２ａ、１２ｃ  ４極電磁石
１２ｂ  ４極電磁石
１３    偏向電磁石
１４    散乱体
１５    リッジフィルタ
１６    コリメータ
１７    ボーラス
Ｚ      ビーム軸
【図１】
2006346120.tif 000003
【図２】
2006346120.tif 000004
【図３】
2006346120.tif 000005
【図４】
2006346120.tif 000006
【図５】
2006346120.tif 000007
【図６】
2006346120.tif 000008